(57)【特許請求の範囲】
【請求項１】
建物用設備として、貯湯槽とヒートポンプ装置とが建物内又は前記建物に隣接して設けられた収納部内に収納されており、
前記ヒートポンプ装置は、マルチ型のヒートポンプ装置であり、前記収納部内を通る熱媒循環管路により前記貯湯槽と接続されているとともに、前記収納部の外方に伸びる熱媒循環管路により前記建物の床下空間に設置された空調装置とも接続され、
前記空調装置の冷房運転時において、前記ヒートポンプ装置の排熱を利用して前記貯湯槽内で湯を沸かす制御が可能であり、
前記建物用設備として、パワーコンディショナーが前記収納部内に収納され、
前記パワーコンディショナーは、マルチ型のパワーコンディショナーであり、系統電力だけでなく、太陽光発電装置にも接続されていることを特徴とする建物用設備設置構造。
【請求項２】
前記ヒートポンプ装置の排気口が前記パワーコンディショナーに向けて設けられていることを特徴とする請求項１に記載の建物用設備設置構造。
【請求項３】
前記建物用設備として、蓄電池が前記収納部内に収納されていることを特徴とする請求項１又は２に記載の建物用設備設置構造。
【請求項４】
前記収納部内は、前記建物用設備が個別に収納可能なように仕切材で区画されていることを特徴とする請求項１乃至３のいずれか１項に記載の建物用設備設置構造。
【請求項５】
前記仕切材は、区画された前記収納部の隣り合う収納部間を連通する孔又は切欠を有することを特徴とする請求項４に記載の建物用設備設置構造。
【請求項６】
前記建物用設備は、前記収納部に予め収納されてユニット化されていることを特徴とする請求項１乃至５のいずれか１項に記載の建物用設備設置構造。
【発明の詳細な説明】
【技術分野】
【０００１】
本発明は、建物用設備としてのヒートポンプ装置や貯湯槽などを設置するための建物用設備設置構造に関するものである。
【背景技術】
【０００２】
近年、建物の性能を高めるために、建物用設備として、ヒートポンプ装置や貯湯槽などの便利な機能を有するものを設置することがなされ、建物用設備の数や種類も年々増加している（例えば、特許文献１等を参照）。
【先行技術文献】
【特許文献】
【０００３】
【特許文献１】特開２０１１−１１３４４８号公報
【発明の概要】
【発明が解決しようとする課題】
【０００４】
しかしながら、従来、これらの建物用設備は、様々な箇所に設置されていたため、建物の性能を高めることができる反面、美観が損なわれてしまうという問題が生じてきた。
【０００５】
そこで、本発明は、建物の性能を高めることができるうえに、建物の美観も高めることができる建物用設備設置構造を提供することを目的としている。
【課題を解決するための手段】
【０００６】
前記目的を達成するために、本発明の建物用設備設置構造は、建物用設備として、貯湯槽とヒートポンプ装置とが建物内又は建物に隣接して設けられた収納部内に収納されており、前記ヒートポンプ装置は、マルチ型のヒートポンプ装置であり、前記貯湯槽と接続されているとともに、前記建物に設置された空調装置とも接続されていることを特徴とする。
【０００７】
ここで、前記空調装置の冷房運転時において、前記ヒートポンプ装置の排熱を利用して前記貯湯槽内で湯を沸かす制御が可能であるとよい。
【０００８】
また、前記建物用設備として、パワーコンディショナーが前記収納部内に収納されているとよい。
【０００９】
さらに、前記パワーコンディショナーは、マルチ型のパワーコンディショナーであり、系統電力だけでなく、太陽光発電装置にも接続されているとよい。
【００１０】
また、前記ヒートポンプ装置の排気口が前記パワーコンディショナーに向けて設けられているとよい。
【００１１】
さらに、前記建物用設備として、蓄電池が前記収納部内に収納されているとよい。
【００１２】
また、前記収納部内は、前記建物用設備が個別に収納可能なように仕切材で区画されているとよい。
【００１３】
さらに、前記仕切材は、区画された前記収納部の隣り合う収納部間を連通する孔又は切欠を有するとよい。
【００１４】
また、前記建物用設備は、前記収納部に予め収納されてユニット化されているとよい。
【発明の効果】
【００１５】
このような本発明の建物用設備設置構造は、建物用設備として、貯湯槽とヒートポンプ装置とが建物内又は建物に隣接して設けられた収納部内に収納されており、ヒートポンプ装置は、マルチ型のヒートポンプ装置であり、貯湯槽と接続されているとともに、建物に設置された空調装置とも接続された構成とされている。
【００１６】
上記した構成なので、少なくとも２つの建物用設備が、１箇所の収納部にまとめて収納されるため、建物の性能を高めることができるのは勿論、建物の美観も高めることができる。
【００１７】
特に、貯湯槽とヒートポンプ装置は、大型の建物用設備であるので、これらが１箇所の収納部にまとめて収納されるため、建物の美観をより高めることができる。
【００１８】
また、貯湯槽とヒートポンプ装置との間の熱媒循環管路の長さを短くすることができる。
【００１９】
さらに、空調装置専用のヒートポンプ装置を別途設ける必要がなく、その分、収納部を小さくすることができる。
【００２０】
ここで、空調装置の冷房運転時において、ヒートポンプ装置の排熱を利用して貯湯槽内で湯を沸かす制御が可能である場合は、通常はそのまま排出されてしまう熱エネルギーを有効利用することができ、省エネルギーにも寄与することができる。
【００２１】
また、建物用設備として、パワーコンディショナーが収納部内に収納されている場合は、パワーコンディショナーも、１箇所の収納部にまとめて収納されるので、その分建物の美観も高めることができるうえに、収納部に収納された他の建物用設備との間の配線を短くすることができる。
【００２２】
さらに、パワーコンディショナーは、マルチ型のパワーコンディショナーであり、系統電力だけでなく、太陽光発電装置にも接続されている場合は、収納部に収納された建物用設備を系統電力と自家発電電力との両方で稼働させることができる。
【００２３】
また、ヒートポンプ装置の排気口がパワーコンディショナーに向けて設けられている場合は、ヒートポンプ装置の排気口から吹き出す排気により、パワーコンディショナーの周囲に気流を作ることができるので、冷却用のファンを別途設けなくても済む。
【００２４】
さらに、建物用設備として、蓄電池が収納部内に収納されている場合は、蓄電池も、１箇所の収納部にまとめて収納されるので、その分建物の美観も高めることができるうえに、収納部に収納された建物用設備を系統電力と自家発電電力に加え、蓄電電力でも稼働させることができる。
【００２５】
また、収納部内は、建物用設備が個別に収納可能なように仕切材で区画されている場合は、水平の仕切材は、上側の建物用設備を載置することができるし、垂直の仕切材は、隣り同士の建物用設備の緩衝材の役目を果たすことができる。
【００２６】
さらに、仕切材は、区画された収納部の隣り合う収納部間を連通する孔又は切欠を有する場合は、孔又は切欠を通して、建物用設備間の配線や配管などを容易に行うことができるし、孔又は切欠を通して、ヒートポンプ装置の排気口から吹き出す排気を、パワーコンディショナーに向けて吹き付けることができる。
【００２７】
また、建物用設備は、収納部に予め収納されてユニット化されている場合は、現場で収納部内に建物用設備を収納する収納作業を省略することができる。
【図面の簡単な説明】
【００２８】
【図１】実施例の建物用設備設置構造を備えた建物の概略構成を示す説明図である。
【図２】実施例の建物用設備設置構造の概略構成を示す説明図である。
【図３】エアコンディショナーの屋内機で冷房運転のみ行う時の制御を説明するための説明図である。
【図４】エアコンディショナーの屋内機で冷房運転を行うとともに、その排気を利用して貯湯槽内で湯も沸かす時の制御を説明するための説明図である。
【発明を実施するための形態】
【００２９】
以下、本発明を実施するための形態を、図面に示す実施例に基づいて説明する。
【実施例】
【００３０】
先ず、実施例の構成について説明する。
【００３１】
図１は、実施例の建物用設置構造を備えた建物１の概略構成を示している。
【００３２】
まず、この建物１は、建物本体１Ａの内部が、床部１１により、床上空間２１と床下空間２２とに区画されている。
【００３３】
そして、床下空間２２内には、空調装置としてのヒートポンプ式のエアコンディショナーの屋内機３が設置されている。
【００３４】
また、床部１１には、給気口１１ａと排気口１１ｂとが設けられており、エアコンディショナーの屋内機３の吹出部と給気口１１ａとの間がダクト３１で接続され、エアコンディショナーの屋内機３の吸込部と排気口１１ｂとの間がダクト３２で接続されて、床上空間２１に冷気又は暖気を吹き出す即効性を有する冷暖房が可能とされている。
【００３５】
さらに、エアコンディショナーの屋内機３には、床下吹出部３３が設けられており、この床下吹出部３３から暖気を吹き出すことにより、床上空間２１を床下空間２２側からムラなく暖める床下床暖房も可能とされている。
【００３６】
また、建物１の屋上には、太陽光発電装置４，・・・が設けられている。
【００３７】
そして、建物１に隣接して、収納部としての収納庫５が設けられている。
【００３８】
この収納庫５の内部は、図２に示したように、中間部が垂直な仕切材５１で左右に仕切られ、左側はさらに、水平な仕切材５２，５３で上段、中段、下段に仕切られている。
【００３９】
そして、右側の収納部５Ａには、建物用設備としての貯湯槽６が収納されている。
【００４０】
また、左側下段の収納部５Ｂには、建物用設備としての蓄電池７が収納されている。
【００４１】
さらに、左側中段の収納部５Ｃには、建物用設備としてのヒートポンプ装置８が収納されている。
【００４２】
ここで、このヒートポンプ装置８は、マルチ型のヒートポンプ装置であり、貯湯槽６と、熱媒循環管路としての往路管８１ａ及び復路管８１ｂにより接続されているとともに、エアコンディショナーの屋内機３とも、熱媒循環管路としての往路管８２ａ及び復路管８２ｂにより接続されている。
【００４３】
さらに具体的には、ヒートポンプ装置８内には、２つの熱交換器８ａ，８ｂと、圧縮機８ｃと、膨張弁８ｄとが有り、エアコンディショナーの屋内機３で冷房運転のみ行う時は、図３に示したように、屋外空気と熱交換を行う熱交換器８ａを使って、熱媒循環管路としての往路管８２ａ及び復路管８２ｂ内に熱媒を循環させ、エアコンディショナーの屋内機３内の熱交換器３ａから冷気を吹き出す制御をする。
【００４４】
なお、この場合、熱気を帯びた暖気である排気は、熱交換器８ａから直接屋外へ排気される。
【００４５】
一方で、エアコンディショナーの屋内機３で冷房運転を行うとともに、その排気を利用して貯湯槽６内で湯も沸かす時は、図４に示したように、熱交換器８ｂのみを使って、熱媒循環管路としての往路管８２ａ及び復路管８２ｂ、往路管８３ａ及び復路管８３ｂ内に熱媒を循環させ、エアコンディショナーの屋内機３内の熱交換器３ａから冷気を吹き出す制御をするとともに、熱気を帯びた暖気である排気は、熱交換器８ｂで熱交換を行って、熱媒循環管路としての往路管８１ａ及び復路管８１ｂ内に熱媒を循環させ、貯湯槽６内で湯を沸かす制御もする。
【００４６】
また、左側上段の収納部５Ｄには、建物用設備としてのパワーコンディショナー９が収納されている。
【００４７】
ここで、このパワーコンディショナー９は、マルチ型のパワーコンディショナーであり、電力会社等の系統電力だけでなく、太陽光発電装置４，・・・からの自家発電電力にも接続されている。
【００４８】
また、このパワーコンディショナー９と、他の建物用設備である、貯湯槽６、蓄電池７及びヒートポンプ装置８とは、図示省略の配線で接続されており、これらの邪魔となる仕切材５１，５２，５３には、図示省略の孔が設けられている。
【００４９】
さらに、ヒートポンプ装置８の上側面には、図示省略の排気口が設けられており、この排気口から吹き出される排気の通りが阻害されないように、仕切材５３のこの排気口の上側の部分には、切欠５３ａが設けられている。
【００５０】
また、建物用設備としての貯湯槽６、蓄電池７、ヒートポンプ装置８及びパワーコンディショナー９は、収納部としての収納庫５内に工場等で予め収納されてユニット化されている。
【００５１】
次に、実施例の作用効果について説明する。
【００５２】
このような実施例の建物用設備設置構造は、建物用設備としての貯湯槽６及びヒートポンプ装置８が、建物１に隣接して設けられた収納部としての収納庫５内に収納されており、ヒートポンプ装置８は、マルチ型のヒートポンプ装置であり、貯湯槽６と熱媒循環管路としての往路管８１ａ及び復路管８１ｂにより接続されているとともに、建物１に設置された空調装置としてのエアコンディショナーの屋内機３とも熱媒循環管路としての往路管８２ａ及び復路管８２ｂにより接続された構成とされている。
【００５３】
上記した構成なので、特に大型の建物用設備である貯湯槽６及びヒートポンプ装置８が、１箇所の収納部としての収納庫５内にまとめて収納されるため、建物１の性能を高めることができるのは勿論、建物１の美観も高めることができる。
【００５４】
また、貯湯槽６とヒートポンプ装置８との間の熱媒循環管路としての往路管８１ａ及び復路管８１ｂの長さを短くすることができる。
【００５５】
さらに、空調装置としてのエアコンディショナーの屋内機３専用のヒートポンプ装置を別途設ける必要がなく、その分、収納部としての収納庫５を小さくすることができる。
【００５６】
ここで、空調装置としてのエアコンディショナーの屋内機３の冷房運転時において、ヒートポンプ装置８の排熱を利用して貯湯槽６内で湯を沸かす制御が可能である。
【００５７】
このため、通常はそのまま排出されてしまう熱エネルギーを有効利用することができ、省エネルギーにも寄与することができる。
【００５８】
また、建物用設備として、パワーコンディショナー９が収納部としての収納庫５内に収納されている。
【００５９】
このため、パワーコンディショナー９も、１箇所の収納部としての収納庫５内にまとめて収納されるので、その分建物１の美観も高めることができるうえに、収納庫５内に収納された他の建物用設備との間の配線を短くすることができる。
【００６０】
さらに、パワーコンディショナー９は、マルチ型のパワーコンディショナーであり、系統電力だけでなく、太陽光発電装置４，・・・による自家発電電力にも接続されている。
【００６１】
このため、収納庫５内に収納された建物用設備を系統電力と自家発電電力との両方で稼働させることができる。
【００６２】
また、ヒートポンプ装置８の排気口がパワーコンディショナー９に向けて設けられている。
【００６３】
このため、ヒートポンプ装置８の排気口から吹き出す排気により、パワーコンディショナー９の周囲に気流を作ることができるので、冷却用のファンを別途設けなくても済む。
【００６４】
さらに、建物用設備として、蓄電池７が収納部としての収納庫５内に収納されている。
【００６５】
このため、蓄電池７も、１箇所の収納部としての収納庫５内にまとめて収納されるので、その分建物１の美観も高めることができるうえに、収納庫５内に収納された他の建物用設備を系統電力と自家発電電力に加え、蓄電電力でも稼働させることができる。
【００６６】
また、収納部としての収納庫５内は、建物用設備が個別に収納可能なように仕切材５１，５２，５３で区画されている。
【００６７】
このため、水平の仕切材５２，５３は、上側の建物用設備であるヒートポンプ装置８、パワーコンディショナー９をそれぞれ載置することができるし、垂直の仕切材５１は、隣り同士の建物用設備である貯湯槽６と、蓄電池７、ヒートポンプ装置８及びパワーコンディショナー９との間の緩衝材の役目を果たすことができる。
【００６８】
さらに、仕切材５１，５２，５３は、区画された収納部５Ａ，５Ｂ，５Ｃ，５Ｄの隣り合う収納部間を連通する孔や切欠を有する。
【００６９】
このため、孔を通して、建物用設備間の配線や配管などを容易に行うことができるし、切欠５３ａを通して、ヒートポンプ装置８の排気口から吹き出す排気を、パワーコンディショナー９に向けて吹き付けることができる。
【００７０】
また、建物用設備としての貯湯槽６、蓄電池７、ヒートポンプ装置８及びパワーコンディショナー９は、収納部としての収納庫５内に工場等で予め収納されてユニット化されている。
【００７１】
このため、現場で収納部としての収納庫５内に建物用設備としての貯湯槽６、蓄電池７、ヒートポンプ装置８及びパワーコンディショナー９を収納する収納作業を省略することができる。
【００７２】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００７３】
例えば、上記した実施例では、本発明の建物用設備設置構造の説明を簡単に行えるように、建物１の構造などを単純化したが、これに限定されず、より複雑な構造で実施してもよい。
【００７４】
また、上記した実施例では、建物用設備として、収納部としての収納庫５内に、貯湯槽６、蓄電池７、ヒートポンプ装置８及びパワーコンディショナー９を収納して実施したが、これに限定されず、他の数や種類の建物用設備を収納して実施してもよい。
【００７５】
さらに、上記した実施例では、収納部としての収納庫５を建物１に隣接するように設けて実施したが、これに限定されず、建物１内に設けて実施してもよい。
【００７６】
また、上記した実施例では、空調装置としてのエアコンディショナーの屋内機３を床下空間２２内に設置して実施したが、これに限定されず、床上空間２１に設置して実施してもよい。
【符号の説明】
【００７７】
１      建物
１Ａ    建物本体
１１    床部
１１ａ  給気口
１１ｂ  排気口
２１    床上空間
２２    床下空間
３      エアコンディショナーの屋内機（空調装置）
３ａ    熱交換器
３１    ダクト
３２    ダクト
３３    床下吹出部
４      太陽光発電装置
５      収納庫（収納部）
５１    仕切材
５２    仕切材
５３    仕切材
５３ａ  切欠
５Ａ    収納部
５Ｂ    収納部
５Ｃ    収納部
５Ｄ    収納部
６      貯湯槽
７      蓄電池
８      ヒートポンプ装置
８ａ    熱交換器
８ｂ    熱交換器
８ｃ    圧縮機
８ｄ    膨張弁
８１ａ  往路管（熱媒循環管路）
８１ｂ  復路管（熱媒循環管路）
８２ａ  往路管（熱媒循環管路）
８２ｂ  復路管（熱媒循環管路）
８３ａ  往路管（熱媒循環管路）
８３ｂ  復路管（熱媒循環管路）
９      パワーコンディショナー
【図１】
0006411107.tif 000002
【図２】
0006411107.tif 000003
【図３】
0006411107.tif 000004
【図４】
0006411107.tif 000005